(57)【要約】【課題】粘着シートを容易に剥がすことができる車両用粘着積層体を提供する。【解決手段】フロントガラス２と車検証シート３との間に配置する車両用粘着積層体であって、ベース層21と、ベース層21の裏側面に粘着される車検証シート３より粘着力が低く、ベース層21の表側面に設けた粘着層22と、を備え、ベース層21及び貼着層22が透光性を有すると共にベース層21が車検証シート３又は点検シート４以上の大きさを有する。このようにフロントガラス２と車検証シート３の間に粘着積層体１を配置することにより、フロントガラス１から車検証シート３と共に粘着積層体１を容易に剥がすことができる。また、ベース層21及び粘着層22が透光性を有するから、ベース層21側から車検証シート３を視認することができる。【選択図】図１
2012207114.tif 000002
【特許請求の範囲】
【請求項１】
被貼着面と粘着シートとの間に配置する車両用粘着積層体であって、
ベース層と、
前記ベース層の裏側面に粘着される前記粘着シートより粘着力が低く、前記ベース層の表側面に設けた粘着層と、
を備え、
前記ベース層及び貼着層が透光性を有すると共に前記ベース層が前記粘着シート以上の大きさを有することを特徴とする車両用粘着積層体。
【請求項２】
前記貼着層の表面側に剥離層を設けたことを特徴とする請求項１記載の車両用粘着積層体。
【請求項３】
前記被貼着面がウインドガラスであることを特徴とする請求項１又は２記載の車両用粘着積層体。
【請求項４】
前記粘着シートが車検証シール又は点検シールであることを特徴とする請求項３記載の車両用粘着積層体。
【発明の詳細な説明】
【技術分野】
【０００１】
本発明は、車両用粘着積層体に係り、特に被貼着面から粘着テープを剥がし易くした車両用粘着積層体に関する。
【背景技術】
【０００２】
この種の車両に用いる粘着積層体として、基材フィルムの片面に低粘着性剤から成る再剥離性及び低粘着性を有する貼着層を形成してなる自動車用再剥離型ウインドウフィルム（例えば特許文献１）が提案されている。
【０００３】
上記特許文献１には、従来のファッション性、意匠性、プライバシー保護などの目的に合わせた基材フィルムに、建材用ガラス飛散防止フィルムと同様の粘着剤を塗布し、これにシリコーン系ポリエステル離型フィルムを貼着したものでは、一度自動車用ウインドウフィルムを窓に貼着すると、強力な粘着剤により貼着されているため、剥す際、自動車用ウインドウフィルムに損傷が起こったり、窓に粘着剤残りが発生し、自動車用ウインドウフィルムを容易に張り替えることができないという欠点に対し、上記構成を採用することにより、平滑面を有する自動車の窓ガラスに対して貼着が可能であり、貼着後には自動車の窓ガラス上に十分に保持され、かつ窓ガラスを損傷、汚染することなく、容易に剥離することができ、さらに用途に応じて紫外線、可視光線をカットすることができる、と記載されている。
【０００４】
ところで、その他にも自動車のウインドガラスの内面には、車検証シールや点検シールなどが貼り付けられる（例えば特許文献２）。そして、これら車検証シールや点検シールは張り替え時期まで剥れることがないように高い粘着力で貼り付けられているため、張り替え時には、例えばシール剥がし材を噴霧した後、乾燥防止のためにビニールシートで覆い、数分間放置した後、金属製スクレパー等を用いて削ぎ落とす等の作業が必要となる。また、中央に貼った車検証シールの場合、フロントガラスとリアビューミラーとの間の狭い空間での作業となり、そのためフロントガラスに傷を付けないためには慎重な作業を要し、作業に手間が掛かる問題がある。
【先行技術文献】
【特許文献】
【０００５】
【特許文献１】特開平１０−１３０５９６号公報
【特許文献２】特開２００３−１６３５２４号公報
【発明の概要】
【発明が解決しようとする課題】
【０００６】
そこで、本発明は上記した問題点に鑑み、粘着シートを容易に剥がすことができる車両用粘着積層体を提供することを目的とする。
【課題を解決するための手段】
【０００７】
上記目的を達成するために、請求項１に関わる発明は、被貼着面と粘着シートとの間に配置する車両用粘着積層体であって、ベース層と、前記ベース層の裏側面に粘着される前記粘着シートより粘着力が低く、前記ベース層の表側面に設けた粘着層と、を備え、前記ベース層及び貼着層が透光性を有すると共に前記ベース層が前記粘着シート以上の大きさを有することを特徴とする。
【０００８】
また、請求項２に係る発明は、前記貼着層の表面側に剥離層を設けたことを特徴とする。
【０００９】
また、請求項３に係る発明は、前記被貼着面がウインドガラスであることを特徴とする。
【００１０】
また、請求項４に係る発明は、前記粘着シートが車検証シール又は点検シールであることを特徴とする。
【発明の効果】
【００１１】
本発明の請求項１に記載の車両用粘着積層体によれば、被貼着面と粘着シートとの間に粘着積層体を配置することにより、被粘着面から粘着シートと共に粘着積層体を容易に剥がすことができる。また、ベース層及び粘着層が透光性を有するから、ベース層側から粘着シートを視認することができる。
【００１２】
また、本発明の請求項２に記載の車両用粘着積層体によれば、使用時に剥離層を剥がして被貼着面にベース層を貼り付けることができる。
【００１３】
また、本発明の請求項３に記載の車両用粘着積層体によれば、車両のウインドウガラスに貼る粘着シート類を容易に剥がすことができる。
【００１４】
また、本発明の請求項４に記載の車両用粘着積層体によれば、車両のウインドウガラスの所定位置に貼る車検証シール又は点検シールを容易に剥がすことができる。
【図面の簡単な説明】
【００１５】
【図１】本発明の実施例１を示す貼り付け前の断面図である。
【図２】同上、貼り付け状態の断面図である。
【図３】同上、貼り付け状態の粘着積層体及び粘着シートの正面図である。
【図４】同上、貼り付け状態の粘着積層体及び他の粘着シートの正面図である。
【図５】本発明の実施例２を示す貼り付け状態の粘着積層体及び粘着シートの正面図である。
【発明を実施するための形態】
【００１６】
以下、図面を参照して、本発明の車両用粘着積層体の実施例１について説明する。
【実施例１】
【００１７】
図１〜図４に示すように、透明な車両用粘着積層体１は、自走式車両の被貼着面であるウインドガラスの内面に用いられ、このウインドガラスとしてはフロントガラス２を例示している。また、前記フロントガラス２の内面２Ａには、粘着シートである車検証シート３及び点検シート４が前記粘着積層体１を介して貼り付けられる。尚、フロントガラス２は透光性を有し、透明である。
【００１８】
まず、車検証シート３を例に説明すると、この車検証シート３は、次回の車検の月を示す数字などからなる表示部11を表面側に有すると共に、該表面側に透光性を有する粘着層12が設けられ、前記粘着積層体１の裏面側に前記車検証シート３の表面側を重ねて両者が接着される。
【００１９】
前記粘着積層体１は、透明なポリエステル樹脂製シートなどからなるベース層21と、このベース層21の表面側に積層して設けた粘着層22とから構成され、さらに、前記粘着層22に積層して設ける剥離層たる剥離シート23を備えることが好ましい。
【００２０】
前記粘着層22は、前記ベース層21の表面側に粘着剤を塗布して形成され、前記車検証シート３の粘着層12の粘着力Ｎに比べて粘着層22の粘着力ｎは小さい（Ｎ＞ｎ）。この場合、粘着力ｎを粘着力Ｎの６０％〜８０％（６０％以上、８０％以下）値とすることが剥がし易さと貼り付け状態を保つ面から好ましく、前記粘着力の測定には、試験体同士を１８０度の角度で剥がすピール試験を用いている。
【００２１】
また、前記粘着層12，22は透明であって、透光性を有する。したがって、粘着層22を設けたベース層21の表面側から裏面側を視認することができる。
【００２２】
また、図３に示すように、方形の車検証シート３に対して、剥離シート23を含まない粘着積層体１も方形であって、この粘着積層体１は前記車検証シート３より大きく形成されており、車検証シート３の縦寸法ｈ及び横寸法ｗよりに対して、粘着積層体１はその縦寸法Ｈ及び横寸法Ｗを同じかそれより大きく（Ｈ＞＝ｈ，Ｗ＞＝ｗ）形成している。この場合、縦寸法ｈ及び横寸法ｗの１．１５倍以上の寸法に縦寸法Ｈ及び横寸法Ｗを設定する（Ｈ＞＝1.15ｈ，Ｗ＞＝1.15ｗ）ことが好ましく、このように粘着積層体１を車検証シート３より大きくすることにより、車検証シート３の粘着層12がフロントガラス２に付くことを防止できる。尚、ベース層21の大きさに対して前記粘着層22は同じ大きさに設けられているが、ベース層21より小さくてもよいし、部分的に設けて合計した面積がベース層21の面積より小さくてもよい。
【００２３】
また、図１に示すように、前記剥離シート23は、粘着層22と同じ大きさであるが、粘着積層体１の使用時には剥がすものであるから、粘着層22の大きさ以上であればよい。
【００２４】
次に、前記粘着積層体１の使用方法につき説明すると、表面に剥離シート23を付けた粘着積層体１の裏面に車検証シート３を重ね、車検証シート３の粘着層12により、粘着積層体１に車検証シート３を貼り付ける。この後、剥離シート23を剥がし、表面側の粘着層22によりフロントガラス２の内面２Ａに粘着積層体１を貼り付ける。この状態で、粘着積層体１は透明であるから、フロントガラス２の外側から車検証シート３の表示部11を視認することができる。
【００２５】
そして、貼り変え時期になったら、粘着積層体１をフロントガラス２から剥がし、車検証シート３を交換することができ、この場合、粘着積層体１は車検証シート３の粘着力Ｎより小さい粘着力ｎで貼り付けられているから、従来に比べて容易に剥がすことができる。
【００２６】
また、図４はフロントガラス２に貼り付けた点検シート４の正面図を示し、円形の点検シート４に対して、粘着積層体１は円形に形成され、点検シート４の直径ｄに対して粘着積層体１の直径Ｄを同じかそれより大きく（Ｄ＞＝ｄ）形成している。尚、この例でも、直径Ｄを直径ｄの１．１５倍以上（Ｄ＞＝1.15ｄ）とすることが好ましい。また、図４では、点検シート４の表面側の表示部を図示省略しているが、車検証シート４と同様に粘着積層体１を通して点検シート４の表示部が視認可能であり、この表示部は次回の点検時期などを数字などにより表示するものである。
【００２７】
このように本実施例では、請求項１に対応して、被貼着面たるフロントガラス２と粘着シートたる車検証シート３又は点検シート４との間に配置する車両用粘着積層体１であって、ベース層21と、ベース層21の裏側面に粘着される車検証シート３又は点検シート４より粘着力ｎが低く、ベース層21の表側面に設けた粘着層22と、を備え、ベース層21及び貼着層22が透光性を有すると共に前記ベース層21が車検証シート３又は点検シート４以上の大きさを有するから、フロントガラス２と車検証シート３又は点検シート４との間に粘着積層体１を配置することにより、フロントガラス２から車検証シート３又は点検シート４と共に粘着積層体１を容易に剥がすことができる。また、ベース層21及び粘着層22が透光性を有するから、ベース層21側から車検証シート３又は点検シート４を視認することができる。
【００２８】
また、このように本実施例では、請求項２に対応して、貼着層22の表面側に剥離層たる剥離シート23を設けたから、使用時に剥離シート23を剥がしてフロントガラス２にベース層21を貼り付けることができる。
【００２９】
また、このように本実施例では、請求項３に対応して、被貼着面がウインドガラスであるフロントガラス２であるから、車両のフロントガラス２に貼る粘着シート類を容易に剥がすことができる。
【００３０】
また、このように本実施例では、請求項４に対応して、粘着シートが車検証シール３又は点検シール４であるから、車両のフロントガラス２の所定位置に貼る車検証シール３又は点検シール４を容易に剥がすことができ、特に、作業スペースの狭い車検証シール３には有効である。
【００３１】
また、実施例上の効果として、ベース層21を、粘着シートである車検証シート３又は点検シート４より大きくすることにより、ベース層21に車検証シート３を貼り易くなる。
【実施例２】
【００３２】
以下、本発明の実施例２を添付図面を参照して説明する。尚、上記実施例１と同一部分には同一符号を付し、その説明を省略する。
【００３３】
図５に示すように、円形の粘着シートである点検シート４に、この点検シート４より大きな方形の粘着積層体１を用いており、この粘着積層体１は前記車検証シート３と同じ大きさかこれよりは大きく形成されている（Ｈ＞＝ｄ，Ｗ＞＝ｄ）。
【００３４】
このように本実施例では、上記実施例１と同様な作用・効果を奏し、また、この例では、一種類の大きさの粘着積層体１を、形状の異なる車検証シート３及び点検シート４に用いることができる利便性を有する。
【００３５】
尚、本発明は、本実施例に限定されるものではなく、本発明の要旨の範囲内で種々の変形実施が可能である。例えば、実施例では、ベース層の全面に粘着層を設けたが、ベース層の一部に粘着層を設けない部分を設けてもよく、この粘着層を設けない部分をベース層の縁部に設ければ、更にその部分から剥がし易くなる。また、粘着積層体は表示部が視認可能な透光性を有していればよい。さらに、請求項１〜３においては、車検証シール及び点検シール以外の粘着シートを用いることができ、この場合も粘着シートは表面側に表示部を有するものを用いる。また、ウインドウガラスはフロントガラスに限らず、車両に装備したウインドガラスであればよい。さらに、被粘着面を構成するウインドガラスは、少なくとも外側から表示部が視認可能な透光性を備えていればよい。また、剥離シートは透光性のものを用いる必要はない。
【符号の説明】
【００３６】
１  車両用粘着積層体
２  フロントガラス（被貼着面、ウインドガラス）
２Ａ  内面
３  車検証シート（粘着シート）
４  点検シート（粘着シート）
Ｎ  粘着力（粘着シートの粘着力）
21  ベース層
22  粘着層
ｎ  粘着力（粘着積層体の粘着力）
23  剥離シート（剥離層）
【図１】
2012207114.tif 000003
【図２】
2012207114.tif 000004
【図３】
2012207114.tif 000005
【図４】
2012207114.tif 000006
【図５】
2012207114.tif 000007